(57)【特許請求の範囲】
【請求項１】
底壁（１７ａ）を有して上下に延びる筒状に形成されるタンク本体（１７）と、該タンク本体（１７）の上端開口部を塞いでタンク本体（１７）に結合される蓋部材（１８）とで構成されるリザーバタンク（Ｒ）内を、前記底壁（１７ａ）側の液室（２２）と前記蓋部材（１８）側の大気室（２３）とに区画するリザーバタンク用ダイヤフラムにおいて、前記タンク本体（１７）の軸方向への拡張・収縮を可能とした蛇腹状の第１拡縮部（２１ａ）と、自然な状態では前記タンク本体（１７）の軸方向に延びる複数の溝（２４）を外面に有してタンク本体（１７）の半径方向に拡張・収縮可能である第２拡縮部（２１ｂ）とを備えて下端を閉じた筒状に形成されることを特徴とするリザーバタンク用ダイヤフラム。
【請求項２】
第１拡縮部（２１ａ）の下端に第２拡縮部（２１ｂ）の上端が一体に連設されることを特徴とする請求項１記載のリザーバタンク用ダイヤフラム。
【発明の詳細な説明】
【０００１】
【発明の属する技術分野】
本発明は、上下に細長いリザーバタンク内に収容されるダイヤフラムの改良に関する。
【０００２】
【従来の技術】
リザーバタンク内の作動液の外気との接触を極力回避しつつ、その液量の変化に応じて作動液に作用する圧力に変化が生じることがないようにするために、リザーバタンク内にダイヤフラムが収納される構成が、たとえば特表平３−５０２７９０号公報等で既に知られている。
【０００３】
【発明が解決しようとする課題】
上記従来のものでは、ダイヤフラムがリザーバタンクの半径方向に拡張・収縮するように形成されている。しかるにダイヤフラムはその収縮状態の形状で抜き型により成形されるので、軸方向に細長いリザーバタンクにそのようなダイヤフラムを用いたときには抜き型を細くしなければならず、しかも追従容積を稼ぐためにダイヤフラムをリザーバタンクの軸方向に長く形成しようとすると、細長い抜き型でダイヤフラムを成形しなければならず、抜き型が曲がってしまう。したがってダイヤフラムを細長く形成することができず、追従容積を稼ぐことが困難である。
【０００４】
一方、リザーバタンクの軸方向に拡張・収縮可能である蛇腹状のダイヤフラムを細長いリザーバタンクに用いれば、リザーバタンクの半径方向に拡張・収縮するダイヤフラムの場合ほど抜き型を細くしなくてもよいので、追従容積を稼ぐことができるが、蛇腹部分を収容するためのスペースが必要になり、リザーバタンクの外径を大きくしない限り、リザーバタンクを必要以上に長くしなければならない。また軸方向に長いリザーバタンクの場合には、蛇腹の段数を多く設定しなければならないので、多数の蛇腹部分の外面側に気泡が溜まり易くなり、作動液中への気泡の混入を招き易くなる。
【０００５】
本発明は、かかる事情に鑑みてなされたものであり、リザーバタンクを必要以上に長くしなくてもすむようにするとともに気泡の混入を極力防止しつつ、充分な追従容積を確保し得るようにしたリザーバタンク用ダイヤフラムを提供することを目的とする。
【０００６】
【課題を解決するための手段】
上記目的を達成するために、請求項１記載の発明は、底壁を有して上下に延びる筒状に形成されるタンク本体と、該タンク本体の上端開口部を塞いでタンク本体に結合される蓋部材とで構成されるリザーバタンク内を、前記底壁側の液室と前記蓋部材側の大気室とに区画するリザーバタンク用ダイヤフラムにおいて、前記タンク本体の軸方向への拡張・収縮を可能とした蛇腹状の第１拡縮部と、自然な状態では前記タンク本体の軸方向に延びる複数の溝を外面に有してタンク本体の半径方向に拡張・収縮可能である第２拡縮部とを備えて下端を閉じた筒状に形成されることを特徴とする。
【０００７】
このような構成によれば、ダイヤフラムが、追従性が劣るものの抜き型の曲りが生じることを回避しつつ追従容積を稼ぐことができる蛇腹状の第１拡縮部と、タンク本体の半径方向に拡張・収縮可能として形成されて追従性に優れる第２拡縮部とで、充分な追従容積を稼ぐのに必要な長さをそれぞれ分担し、抜き型の曲りが生じることのない程度に第２拡縮部の長さを比較的短く設定して、充分な追従容積を確保することができる。また第２拡縮部によって第１拡縮部での蛇腹部分の段数の増加を抑えるようにして、細長いリザーバタンクが必要以上に長くなることを回避することができるとともに、第１拡縮部の外面側に気泡が溜まるのを抑制し、作動液中への気泡の混入を極力防止することができる。
【０００８】
また請求項２記載の発明は、上記請求項１記載の発明の構成に加えて、第１拡縮部の下端に第２拡縮部の上端が一体に連設されることを特徴とし、かかる構成によれば、リザーバタンク内の下部で生じた気泡を第２拡縮部の溝で上方に導くことができ、また蛇腹状である第１拡縮部の外面には気泡が溜まり易いが第１拡縮部がリザーバタンク内の上部に位置するので、液面の波立ちで第１拡縮部の外面に溜まった気泡を液面よりも上方に逃すことができ、作動液中への気泡の混入をより効果的に防止することができる。
【０００９】
【発明の実施の形態】
以下、本発明の実施の形態を、添付の図面に示した本発明の一実施例に基づいて説明する。
【００１０】
図１〜図３は本発明の一実施例を示すものであり、図１はマスタシリンダおよびリザーバタンクの縦断側面図、図２はダイヤフラムの拡大縦断面図、図３は図２の３−３線断面図である。
【００１１】
先ず図１において、このマスタシリンダＭは、たとえば自動二輪車の後輪を制動するためのブレーキ液圧を出力するためのものであり、シリンダ本体５と、該シリンダ本体５に摺動可能に嵌合されるピストン６とを備える。
【００１２】
シリンダ本体５には上端を閉じたシリンダ孔７が上下に延びるようにして設けられており、このシリンダ孔７に前記ピストン６が摺動可能に嵌合され、シリンダ孔７の上端閉塞部およびピストン６の上端部間に液圧室８が形成され、この液圧室８に通じる出力ポート９がシリンダ本体５に設けられる。
【００１３】
一方、自動二輪車のライダーが足で操作するブレーキペダルＰが上下に延びる入力杆１０の下部に連結されており、該入力杆１０の上端に設けられる半球部１０ａがピストン６の下端に首振り可能に連接される。したがってブレーキペダルＰの踏込み操作に応じて入力杆１０が上方に押し上げられ、ピストン６が液圧室８の容積を縮少するようにして上方に前進移動する。
【００１４】
前記液圧室８内で、シリンダ孔７の上端閉塞部およびピストン６間には戻しばね１１が設けられており、該戻しばね１１のばね力によりピストン６は下方に後退付勢される。しかるに、シリンダ孔７の下端開口部には、前記入力杆１０の半球部１０ａに下方から当接、係合可能なリング状の規制板１２が装着されており、この規制板１２に半球部１０ａが当接することでピストン６の後退限が規制される。また入力杆１０の中間部ならびにシリンダ本体５の下部間にはブーツ１３が設けられる。
【００１５】
ピストン６の外面の上下に間隔をあけた２箇所には、カップシール１４，１５が装着されており、両カップシール１４，１５でシールされる環状の補給室１６が、シリンダ孔７の内面およびピストン６の外面間に形成される。しかも上方のカップシール１４は、補給室１６の液圧が液圧室８の液圧よりも高くなったときに補給室１６から液圧室８へのブレーキ液の流れを許容する。
【００１６】
マスタシリンダＭには作動液としてのブレーキ液を貯溜するリザーバタンクＲが付設される。このリザーバタンクＲは、底壁１７ａを有して上下に延びる円筒状に形成されてシリンダ本体５に一体に連設されるタンク本体１７と、該タンク本体１７の上端開口部を塞いでタンク本体１７に締結される蓋部材１８とから成り、リザーバタンクＲ内は、ダイヤフラム２１で、底壁１７ａ側の液室２２と、蓋部材１８側の大気室２３とに区画される。
【００１７】
シリンダ本体５およびリザーバタンクＲの底壁１７ａには、液室２２の下部からのブレーキ液を前記補給室１６に供給する補給ポート１９が設けられるとともに、一端が前記液室２２の下部に開口するとともに他端がシリンダ孔７の内面に開口するリリーフポート２０が設けられており、該リリーフポート２０の他端は、ピストン６が図１で示すように後退限にある状態で液圧室８に通じる位置でシリンダ孔７の内面に開口される。
【００１８】
図２および図３を併せて参照して、ダイヤフラム２１は、エチレン・プロピレン共重合体等のゴム弾性体から成るものであり、蛇腹状の第１拡縮部２１ａと、自然な状態ではタンク本体１７の軸方向に延びる複数たとえば２つの溝２４，２４を外面に有したひょうたん形の形状である第２拡縮部２１ｂとを備えて、下端を閉じた筒状に形成される。
【００１９】
第１拡縮部２１ａはタンク本体１７の軸方向への拡張・収縮が可能であり、この第１拡縮部２１ａの下端に上端が一体に連設される第２拡縮部２１ｂはタンク本体１７の半径方向に拡張・収縮可能であり、第２拡縮部２１ｂの下端は端壁２１ｃで閉じられる。
【００２０】
第１拡縮部２１ａの上端には側方に張出すフランジ部２１ｄが一体に連設されており、該フランジ部２１ｄと、フランジ部２１ｄ上に載置される押さえ板２５とが、タンク本体１７の上端および蓋部材１８間に挟まれ、蓋部材１８、押さえ板２５およびフランジ部２１ｄに上方から挿通される複数たとえば２つのボルト２６…がタンク本体１７に螺合される。
【００２１】
押さえ板２５の中央部には大気室２３内に通じる連通孔２７が設けられる。また押さえ板２５および蓋部材１８間には、前記連通孔２７に通じる通路２８が形成されており、この通路２８は蓋部材１８の側面で外部に開口される。
【００２２】
第２拡縮部２１ｂの下端には、タンク本体１７の内径よりも小さな外径を有する鍔部２１ｅが第２拡縮部２１ｂの下端から半径方向外方に張出すようにして一体に連設されており、この鍔部２１ｅの外周の複数箇所たとえば２箇所には、タンク本体１７の内面から突出して該タンク本体１７の軸方向に延びる突条２９，２９（図１参照）を嵌合させる凹部３０，３０が設けられ、第２拡縮部２１ｂの軸方向への拡張・収縮が前記突条２９，２９でガイドされる。
【００２３】
このようなダイヤフラム２１は、内面を抜き型で形成するようにして型成形されるのであるが、成形完了時に、前記抜き型のうち蛇腹状である第１拡縮部２１ａに対応する部分は、第１拡縮部２１ａを撓ませるようにした無理抜きで抜き出すことが可能である。
【００２４】
タンク本体１７における上下方向中間部には覗き窓３１が設けられており、この覗き窓３１は、ガラスまたは合成樹脂から成る透光板３２で液密に閉じられる。この透光板３２を介してリザーバタンクＲ内の状況を視認することができ、マスタシリンダＭの非作動状態でリザーバタンクＲ内には、図１の鎖線で示す液面レベルＬが、第１拡縮部２１ａに対応する位置となるようにブレーキ液が貯溜される。
【００２５】
次にこの実施例の作用について説明すると、リザーバタンクＲ内を底壁１７側の液室２２と、蓋部材１８側の大気室２３とに区画するダイヤフラム２１は、タンク本体１７の軸方向への拡張・収縮を可能とした蛇腹状の第１拡縮部２１ａと、自然な状態ではタンク本体１７の軸方向に延びる一対の溝２４，２４を外面に有してタンク本体１７の半径方向に拡張・収縮可能である第２拡縮部２１ｂとを備えて下端を閉じた筒状に形成されている。したがってダイヤフラム２１は、追従性が劣るものの抜き型の曲りが生じることを回避しつつ追従容積を稼ぐことができる第１拡縮部２１ａと、タンク本体１７の半径方向に拡張・収縮可能として形成されて追従性に優れる第２拡縮部２１ｂとで、充分な追従容積を稼ぐのに必要な長さをそれぞれ分担することが可能であり、抜き型の曲りが生じることのない程度に第２拡縮部２１ｂの長さを比較的短く設定して充分な追従容積を確保することができる。また第２拡縮部２１ｂによって第１拡縮部２１ａでの蛇腹部分の段数をたとえば２段程度に抑えるようにして、細長いリザーバタンクＲが必要以上に長くなることを回避することができるとともに、第１拡縮部２１ａの外面側に気泡が溜まるのを抑制し、作動液中への気泡の混入を極力防止することができる。
【００２６】
また第１拡縮部２１ａの下端に第２拡縮部２１ｂの上端が一体に連設されるので、リザーバタンクＲ内の下部で生じた気泡を第２拡縮部２１ｂの溝２４，２４で上方に導くことができる。また蛇腹状である第１拡縮部２１ａの外面には気泡が溜まり易いのであるが、第１拡縮部２１ａがリザーバタンクＲ内の上部に位置するので、液面の波立ちで第１拡縮部２１ａの外面に溜まった気泡を液面よりも上方に逃すことができ、ブレーキ液中への気泡の混入をより効果的に防止することができる。
【００２７】
以上、本発明の実施例を詳述したが、本発明は上記実施例に限定されるものではなく、特許請求の範囲に記載された本発明を逸脱することなく種々の設計変更を行なうことが可能である。
【００２８】
【発明の効果】
以上のように請求項１記載の発明によれば、抜き型の曲りが生じることのない程度に第２拡縮部の長さを比較的短く設定して充分な追従容積を確保するとともに、第１拡縮部での蛇腹部分の段数の増加を抑えるこで細長いリザーバタンクが必要以上に長くなることを回避することができるとともに、第１拡縮部の外面側に気泡が溜まるのを抑制し、作動液中への気泡の混入を極力防止することができる。
【００２９】
また請求項２記載の発明によれば、作動液中への気泡の混入をより効果的に防止することができる。
【図面の簡単な説明】
【図１】マスタシリンダおよびリザーバタンクの縦断側面図である。
【図２】ダイヤフラムの拡大縦断面図である。
【図３】図２の３−３線断面図である。
【符号の説明】
１７・・・タンク本体
１７ａ・・・底壁
１８・・・蓋部材
２１・・・ダイヤフラム
２１ａ・・・第１拡縮部
２１ｂ・・・第２拡縮部
２２・・・液室
２３・・・大気室
２４・・・溝
Ｒ・・・リザーバタンク
【図１】
0004129107.tif 000002
【図２】
0004129107.tif 000003
【図３】
0004129107.tif 000004